(57)【特許請求の範囲】
【請求項１】
上下枠及び左右の縦枠にて構成され、下枠上面を略フラット面に形成し、当該フラット面を戸車を介してスライド開閉する引き違い障子からなる屋外用サッシ構造において、内、外障子下框室外側側壁から、それぞれ内、外障子スライド片を垂下し、下枠に上記スライド片をガイドするスライド溝及び、このスライド溝の下にスライド溝より幅の広い下枠凹部を設け、かつ、下枠凹部の室内側側壁と当該スライド片の間に横タイト材を摺接するように介在させ、下枠上面にフラット面排水口を設け、このフラット面排水口が内、外障子が閉じた際の内障子と外障子との召し合せ位置に対応していて、弾性材からなるヒレ状のウィンドバリアとウォターバリアとを有する召合框止水ブロックを外障子召合框の底部に取り付けてこのヒレ状のウィンドバリアとウォターバリアとを下枠のフラット面に摺接させるとともに、ウィンドバリアとウォターバリアとの間に侵入した雨水を当該フラット面排水口に流し込み、屋外に排水するようにしたことを特徴とする下枠フラットサッシの高水密装置。
【請求項２】
上下枠及び左右の縦枠にて構成され、下枠上面を略フラット面に形成し、当該フラット面を戸車を介してスライド開閉する引き違い障子からなる屋外用サッシ構造において、内、外障子下框室外側側壁から、それぞれ内、外障子スライド片を垂下し、下枠に上記スライド片をガイドするスライド溝及び、このスライド溝の下にスライド溝より幅の広い下枠凹部を設け、かつ、下枠凹部の室内側側壁と当該スライド片の室内側との間に横タイト材を摺接するように介在させて、障子に吹き付ける風により横タイト材が押されるようにし、スライド片の室外側には排水用の隙間を設け、弾性体からなる下枠凹部止水ブロックを、内障子と外障子の召し合わせ部位置にほぼ対応するようにして、下枠上面のフラット面に形成した条の溝からなる内障子用スライド溝の下部の下枠凹部に設けて、内障子用下枠凹部形状を塞ぐようにしたことを特徴とする下枠フラットサッシの高水密装置。
【発明の詳細な説明】
【０００１】
【発明の属する技術分野】
本発明は建築物の屋外開口部に取り付けた窓枠内を障子がスライド開閉するサッシ構造に関し、特に、下枠上面が略フラット面に形成したバリアフリーサッシにおける風圧を伴った雨水等に対する高水密装置に関する。
【０００２】
【従来の技術】
建築物の屋外開口部には一般に上下枠と左右の縦枠にて枠体を構成し、その内側を障子がスライド開閉する窓構造が設けられている。
この場合に、従来は図３３に示すように下枠サッシに突条状のレールが突設されていてこのレール上を障子の下框に取り付けられた戸車が回転移動する構造が一般的である。
また、建築物屋外開口部の室外側外障子用突条レールと室内側内障子用突条レールに室内側が高くなるように段差を設けたり、レール溝に室外側と室内側に段差を設けたりして風雨の侵入の防止を図っている。
さらに詳述すると、窓ガラス等に吹き付けられた雨水は障子に沿って落下し、下枠のレール溝に溜まり、特に外障子と内障子の召し合わせ部や、障子の戸当框と縦枠サッシとのコーナー部に滞留しやすいが、レール溝の壁が室内側への侵入を防止し、溜まった雨水の自重にて屋外へ流れ出るようになっている。
【０００３】
しかし、下枠サッシの上面をフラットに形成したバリアフリータイプのサッシ構造にすると上記レール溝の壁が無く、風圧等を伴った大きな雨の際に障子に沿って落下してくる大量の雨水は下枠サッシの上面に溜まりやすく気密性を確実にしないと空気の流れに沿って雨水が浸入し水密性も問題になるという技術課題があった。
特に、引き違い障子の召し合わせ下部の室外側に溜まる水量が従来より更に多くなり、また、召し合わせ部は内外障子間の気密、水密構造が複雑になるために、室内への漏水が生じ易く、屋外用サッシにおいては風圧を伴うので雨水がより侵入しやすくなるので気密性とともに排水性を良くする必要があった。
また、中、高層ビルになると５００Ｐａ近くの風圧を受け、雨水の室内への侵入を防止するためには障子と窓枠サッシの間に気密ラインを確保するとともに、気密ラインを形成する下枠上面からの高排水性を確保するために排水用の下枠凹部を設ける必要があり、この場合に内障子下枠凹部に沿って流れてくる雨水を外障子室内側に侵入しないようにする必要もあった。
【０００４】
【発明が解決しようとする課題】
本発明は、建築物屋外開口部に取り付けた上下枠及び左右の縦枠にて構成されるサッシの下枠面上をスライド開閉する引き違い障子等において、図３２に本発明による高水密装置を内蔵した屋外用バリアフリーサッシの施工イメージ図を示すように、サッシ下枠の上面をフラットに形成したバリアフリータイプの気密・水密性が高く、雨水等の排水性にも優れ、内外障子の召し合わせ部の室内漏水に対する防水性が高い、屋外用下枠フラットサッシの高水密装置の提供にある。
【０００５】
【課題を解決するための手段】
屋外用サッシにおける水密性とは雨を伴った風に対し、どれだけの風圧まで雨水の浸入を防げるかを表す性能をいい、ＪＩＳにその試験方法として試験装置にサッシを取り付け、１分間当たり４リットル／１平方メートルの水を噴霧し、所定の脈動圧を１０分間加え、その間サッシから室内側への漏水が無いことが合格条件となっていて、試験区分５０では風圧中央値が５００Ｐａ、上限風圧が７５０Ｐａと非常に厳しいものとなっていて、例えば、浴室の水密性における浴室戸にシャワーノズルで１分間当たり１０リットルの水を距離３０ｃｍ、７ｃｍ／秒の速さで全周に噴霧するだけの試験条件とは大きく異なり、屋外用サッシの下枠フラット化は従来から非常に困難とされていた。
そこで、今回水密試験を繰り返しながら、誠意研究することで本発明に至ったものである。
【０００６】
請求項１記載の発明は、上下枠及び左右の縦枠にて構成され、下枠上面を略フラット面に形成し、当該フラット面を戸車を介してスライド開閉する引き違い障子からなる屋外用サッシ構造において、内、外障子下框室外側側壁から、それぞれ内、外障子スライド片を垂下し、下枠に上記スライド片をガイドするスライド溝及び、このスライド溝の下にスライド溝より幅の広い下枠凹部を設け、かつ、下枠凹部の室内側側壁と当該スライド片の間に横タイト材を摺接するように介在させ、下枠上面にフラット面排水口を設け、このフラット面排水口が内、外障子が閉じた際の内障子と外障子との召し合せ位置に対応していて、弾性材からなるヒレ状のウィンドバリアとウォターバリアとを有する召合框止水ブロックを外障子召合框の底部に取り付けてこのヒレ状のウィンドバリアとウォターバリアとを下枠のフラット面に摺接させるとともに、ウィンドバリアとウォターバリアとの間に侵入した雨水を当該フラット面排水口に流し込み、屋外に排水するようにした。
【０００７】
請求項２記載の発明は、上下枠及び左右の縦枠にて構成され、下枠上面を略フラット面に形成し、当該フラット面を戸車を介してスライド開閉する引き違い障子からなる屋外用サッシ構造において、内、外障子下框室外側側壁から、それぞれ内、外障子スライド片を垂下し、下枠に上記スライド片をガイドするスライド溝及び、このスライド溝の下にスライド溝より幅の広い下枠凹部を設け、かつ、下枠凹部の室内側側壁と当該スライド片の室内側との間に横タイト材を摺接するように介在させて、障子に吹き付ける風により横タイト材が押されるようにし、スライド片の室外側には排水用の隙間を設け、弾性体からなる下枠凹部止水ブロックを、内障子と外障子の召し合わせ部位置にほぼ対応するようにして、下枠上面のフラット面に形成した条の溝からなる内障子用スライド溝の下部の下枠凹部に設けて、内障子用下枠凹部形状を塞ぐようにした 。
【０００８】
スライド片の室内側に位置する、下枠凹部室内側側壁とこのスライド片の間に横タイト材を摺接配置したので、吹き付ける風によりシール面が押され、風圧や障子の建て付け調整に対して安定して確実にシールするように作用するので、屋内への雨水等の侵入を防止することが出来、横タイト材で形成した気密ラインのほぼ真下に雨水を流し込む懐として排水用の下枠凹部を設けることでこの部分から雨水が屋外に排水される。
なお、横タイト材は、スライド片と下枠凹部室内側側壁との間をシールするのが目的であり、横タイト材をスライド片側に取り付けても、下枠凹部側壁側に取り付けても良い。
【０００９】
また、下枠上面は、障子下框に設けた障子スライド片のほぼ肉厚に相当する２条の溝が形成されたフラット面になっている。
排水性を高めるため下枠凹部の屋内外方向幅に対してスライド溝が狭くなるように設定されている。
これにより下枠上面がフラット面になり、バリアフリー化が図られている。
【００１０】
外障子と内障子の召し合わせ位置に対応して下枠にフラット面排水口を設け、外障子召合框の底部に召合框止水ブロックを取り付け、当該召合框止水ブロックに設けた弾性材を下枠のフラット面に摺接させたことにより、下枠フラット面を内外障子召し合わせ部に向けて風圧とともに勢い良く流れてきた雨水は、この召合框止水ブロックに設けられた弾性材からなるヒレ状のウオーターバリアにて流れの勢いが抑えられるとともに、弾性材からなるヒレ状のウインドバリアにより、召合框の底部と下枠のフラット面が遮蔽され、召し合わせ部の気密性が確保され、当該ウオーターバリアとウインドバリアの間に設けられたフラット面排水口への雨水の落下、排水が促進されるように作用する。
この際に、下枠のフラット面排水口は下枠凹部排水口、下枠屋外排水口を通じて外気と連通している。
また、フラット面排水口の上部が外障子召合框及び内障子召合框とこれらに設けた突き合わせ片（煙返し部）、召合框タイト材で形成する空間部に連通しているのが望ましい。
【００１１】
障子スライド片に横タイト材を介して下枠凹部側壁とで設けた内障子の気密ライン線上で、内障子と外障子の召し合わせ部位置にほぼ対応させて、下枠のフラット上面の下に位置する内障子下枠凹部に下枠凹部形状をふさぐように弾性体からなる下枠凹部止水ブロックを設けたことにより、内障子下枠凹部に沿って流れてくる雨水を外障子の室内側に侵入しないように防止することが出来る。
つまり、下枠のフラット上面に設けた内障子用のスライド溝の下部に配置されている下枠凹部は、内障子が開閉できるように、雨水が流し込まれる屋外部と、気密、水密性が要求される室内部に位置する部分（言いかえると外障子の室内側に位置する下枠凹部）がつながっているので、この下枠凹部をつたわって室内側に雨水が流れ込むのを防止したものである。
【００１２】
【発明の実施の形態】
本発明の望ましい実施の形態を引き違い障子サッシ構造に適用した場合を例に以下説明する。
図３２に本発明による高水密装置を内蔵した屋外用バリアフリーサッシの施工イメージ図を示し、図３４に鉄筋コンクリート造りビル住宅の間取りの例を示し、図３５及び図３６にその屋外開口部の断面を示す。
ビル住宅の窓の屋外には排水用のグレーチングを取り付け、その外側に段差調整ブロックを敷いてバルコニーが配設され、さらに外側には手摺り等の安全柵が取り付けられている。
室内からバルコニーへの出入り口に本発明に係る高水密構造からなるサッシ構造が採用されている。
【００１３】
本発明に係るサッシ構造の下枠サッシ部分の縦断面図を図１に、横断面図を図３に示す。図１、図５及び図３６に示すように躯体にアンカー８にて取り付けられた下枠１０及び上枠４０と、図３に示すように左縦枠２０及び右縦枠３０のサッシにて枠体を形成し、その内側に屋外側から、外障子５０、内障子６０が装着されている。
図３６に示すように、下枠には従来のような突条のレールが無く、下枠上面に障子下框の障子スライド片のほぼ肉厚に相当する２条の溝が形成されたフラット面になっていて、マンション等のベランダと室内側との境界に段差が無くなり、室内フローリング床面、下枠の上面、グレーチングを介してバルコニーの床面がほぼ水平に配置されたバリアフリー構造になっている。
【００１４】
図１、図５及び図３に示すように、外障子５０は外障子下框５１及び上框５５と、外障子戸当框５２及び外障子召合框５３にて枠を形成し、内側にガラス等が装着されている。
外障子下框５１の屋外側には外障子スライド片５１ａが垂下され側壁に外障子用横タイト材嵌合溝１３ａを設け、外障子用横タイト材１４ａを配設し、これらの横タイト材は下枠凹部の側壁１０６ｃに摺接している。
また、下框の下框凹部５１ｂには外障子戸車５４が取り付けられ、下枠１０の略フラットな上面１１を構成する障子スライド用上面部材１０６上を移動する。
【００１５】
内障子６０も外障子と同様に、内障子下框６１及び上框６５と、内障子戸当框６２及び内障子召合框６３にて枠を形成し、内側にガラス等が装着されている。内障子下框６１の屋外側には内障子スライド片６１ａが垂下され、側壁に内障子用横タイト材嵌合溝１３ｂを設け、内障子用横タイト材１４ｂを配設し、横タイト材は下枠凹部の側壁１０２に摺接している。
、下框の下框凹部６１ｂには内障子戸車６４が取り付けられ下枠１０の略フラットな上面１１を移動する。
【００１６】
下枠１０には中空断面形状からなる下枠ベース部材１００の上部に複数の立ち上がり片１０１、１０２、１０３、１０４、１０５を設け、立ち上がり片１０３、１０４と障子スライド用上面部材１０６に設けた係止片１０６ａ、１０６ｂにて嵌着し、立ち上がり片１０４と１０５で外障子用下枠凹部１２ａを設けてこの外障子用下枠凹部の底部に外障子用凹部排水口１７ａが配設され、、立ち上がり片１０２と１０３で内障子用下枠凹部１２ｂを形成し、この内障子用下枠凹部の底部に、内障子用凹部排水口１７ｂが配設され、外障子スライド片５１ａ、内障子スライド片６１ａがスライドする外障子スライド溝１１ａ、内障子スライド溝１１ｂを設けた。
また立ち上がり片１０１の水平部１０１ａ、立ち上がり片１０５の水平部１０５ａと障子スライド用上面部材１０６にてフラット面１１を形成している。
【００１７】
また、下枠１０は下枠凹部、障子スライド溝及び中空部が形成できれば上記に限定されるものでなく、図２に示すように、下枠ベース部材１００の上部に複数の立ち上がり片１０１、１０５を設けて、障子スライド用上面部材１０６に設けた係止片１０６ａ、１０６ｂにて嵌着し、この障子スライド用上面部材に外障子用下枠凹部１２ａを設けてこの外障子用下枠凹部の底部に外障子用凹部排水口１７ａが配設され、同様に内障子用下枠凹部１２ｂを設けて、この内障子用下枠凹部の底部に内障子用凹部排水口１７ｂが配設され、外障子スライド片５１ａ、内障子スライド片６１ａがスライドする外障子スライド溝１１ａ、内障子スライド溝１１ｂを設けたものでもよい。
ここで障子スライド用上面部材はかならずしも一体的に形成されている必要は無く、図示していないが複数の部材に分割して形成してもよい。
ベース部材の中空部側壁には下枠屋外排水口１８が設けられその外側に排水口を覆うように逆風、逆水止め部材１９が上部で枢着されている。
なお、排水口全体の配置は図２２に示し、（ロ）が障子召合わせ部、（イ）及び（ハ）がコーナー部の斜視図である。
外障子と内障子の召し合わせ部の位置に対応して下枠の上面の一部を切り欠きフラット面排水口１５を設けてその下に必要に応じて凹部排水口１７ｃを設け（図８参照）、外障子用下枠凹部排水口１７ａ、内障子用下枠凹部排水口１７ｂ及び下枠屋外排水口１８が設けられている。
また、図３に示すように必要に応じて下枠の上面の一部を切り欠き左コーナー部排水口１６ａ及び右コーナー部排水口１６ｂを設けても良い。
【００１８】
図３に示すように、左縦枠２０の枠内側には外障子の戸当框を受ける左縦枠係合部２１が設けられ、外障子が閉じた際にこの戸当框に設けた左縦枠縦タイト材嵌合溝２２に配設した左縦枠縦タイト材２３が当接する。
右縦枠３０の内側にも外障子の場合と同様に、内障子の戸当框を受ける右縦枠係合部３１が設けられ、内障子が閉じた際にこの戸当框に設けた右縦枠縦タイト材嵌合溝３２に配設した右縦枠縦タイト材３３が当接する。
図４に示すように、外障子、内障子においてそれぞれ横タイト材と下枠凹部側壁のシール面及び縦タイト材と縦枠のシール面がほぼ同一になるように配設されているので風圧や障子の建て付け調整に対して安定して確実にシールするように作用し、室内への雨水等の侵入を防止することが出来る。
【００１９】
召合わせ部においては図３に示すように、外障子５０の外障子召合框５３及び内障子６０の内障子召合框６３に設けた外障子突き合わせ片５３ａと内障子突き合わせ片６３ａが障子閉鎖時に当接し外障子召合わせ部に設けた召合框タイト材嵌合溝６３ｂに召合框タイト材６７が取り付けられ内障子側面と摺接している。なお、この召合框タイト材は気密性、水密性が確保されれば良く、内障子側に設けても良い。
【００２０】
図８に示すフラット面排水口１５に対応する内障子召合框の底部には図５〜図７に示すように、召合框止水ブロック７０がビス等の召合框止水ブロック係止部材７３にて取り付けられている。
召合框止水ブロックには弾性材からなるヒレ状のウオーターバリア７１とヒレ状のウインドバリア７２が設けれていて下枠上面及び内障子屋外側側面に当接するように配設されている。
その側面図を図９に、上面図（下観図）を図１０に、正面図（外観図）を図１１にそれぞれ示す。ウオーターバリアにて風圧を伴う雨水の流れが抑えられ、ウインドバリアにて気密性が確保されているので空気の室内への侵入が遮断され、その間に設けられたフラット面排水口に雨水が流し込まれる。
ここで、下枠のフラット面排水口１５は外障子用下枠凹部排水口１７ａ及び下枠屋外排水口１８を介して外気と連通している。
また、フラット面排水口の上部は、図６及び図１０に示すように外障子召合框５３及び内障子召合框６３とこれらに設けた外障子突き合わせ片５３ａ、内障子突き合わせ片６３ａ（煙返し部）、召合框タイト材６７で形成する空間部に連通している。
【００２１】
また、この召合框止水ブロックは図１２に示すように下枠のフラット面排水口１５に設けてもよく、その側面図を図１３に、上面図（下観図）を図１４正面図（外観図）を図１５に示す。
内障子用下枠凹部の内外障子召し合わせ部には下枠凹部止水ブロックが設けられていて内障子の下枠凹部に沿って室内側に雨水が流れ込むのを防止している。その側面図を図１６及び図１９に、上面図を図１７に、下枠凹部内部傾斜図を図１８に、正面図を図２１にそれぞれ示す。
【００２２】
本発明における高水密装置を内蔵した屋外用バリアーフリーサッシは、図１０に示すように障子を上枠のレールに沿って上方に移動させ、障子のスライド片をスライド溝に挿入することで簡単に窓枠に取り付けることが出来るとともに、取り外しも逆の操作で簡単に短時間で出来るのでメンテナンスが容易である。
また、掃除をする時に障子が外しやすく、構造が複雑にならないため、品質が安定し故障が少ない。
【００２３】
本発明においては、下枠サッシの略フラット面の形状としては図１に示すほかに図２４〜図２６等の形状を言い、バリアフリーの機能を維持しつつ、ゴミ等の溜まりやその排出等の実験結果より、戸車回動部が凹部形状の場合（図２４）は寸法Ａ１、Ａ２が約１０ｍｍ以内、同様に戸車回動部が凸形状の場合（図２５）は寸法Ｂ１、Ｂ２が約１０ｍｍ以内、スライド溝幅寸法は図２６に示すように、Ｃ１、Ｃ２・・が約１０ｍｍ以内をいう。
【００２４】
また、本発明においては、横タイト材のシール面は縦タイト材のシール面とほぼ同一面になるように形成されていれば良く、以下に例を示すようにタイト材の配設位置は選択的に採用される。
横タイト材嵌合溝を下枠に縦タイト材嵌合溝を縦枠側に設けて横タイト材及び縦タイト材を配設した場合の縦断面図を図２７に、横断面図を図２８に示し、その斜視図を図２９に示す。
なお、内障子と外障子とでタイト材の取り付け方を異ならせ、どちらか一方を障子側に取り付け、他方を枠側に取り付けても良く、横タイト材と縦タイト材にて取り付け位置を異ならせても良い。
また下枠ベースの中空部も図３０に示すように一体的に設けてもよい。
【００２５】
本発明における高水密装置を内蔵した屋外用バリアフリーサッシを建物の屋外開口部に適用した例を示す図３２と従来例の図３３を比較すると明らかなように水密性を確保しつつサッシ下枠の上面をフラットに形成出来たので、次のようなことが言える。
従来のサッシからレールが消えて障害物が無くなり、従来のアルミサッシのイメージが全くしない爽やかな窓枠構造になる。
マンション等のベランダと室内側との境界に段差が無くなり、室内空間とベランダ空間のフロアーがフラットな状態でつながり生活空間の一新が期待できる。従来のレールがあるアルミサッシ下枠と異なり、ゴミ等がつきにくいため、清潔感に優れる。
高齢になって身体が弱くなっても室内と同じようにベランダ等に出ることが出来る（ユニバーサルデザイン）。
【００２６】
【発明の効果】
本発明の高水密装置においては、雨水が溜まりやすい引き違い障子の召し合わせ部において、風圧を伴った雨水はフラット面排水口の位置に対応した外障子召合框の底部に取り付けられた召合框止水ブロックのウオーターバリアにて流れが弱められ、フラット面排水口に雨水が落下し屋外に排水され、ウインドバリアにて風の室内への侵入を抑えることにより水の侵入を完全に防止することが出来る。
また、フラットな下枠上面のスライド溝の下に、内障子用下枠凹部上水ブロックを設けることより下枠の上面をフラットに形成した場合の内障子用下枠凹部からの雨水の外障子室内側への侵入を防止できる。
【図面の簡単な説明】
【図１】本発明に係る下枠フラットの高水密サッシ構造の縦断面図を示す。
【図２】本発明に係る下枠フラットの高水密サッシ構造の他の例の縦断面図を示す。
【図３】本発明に係る下枠フラットの高水密サッシ構造の横断面図を示す。
【図４】横タイト材と縦タイト材を取り付けた状態の部分斜視図を示す。
【図５】召合框止水ブロックを取り付けた状態の側面図を示す。
【図６】召合框止水ブロックを取り付けた状態の上面図を示す。
【図７】召合框止水ブロック部分の傾斜図を示す。
【図８】フラット面排水口の傾斜図を示す。
【図９】召し合わせ部側面図（下枠フラット面排水口断面端面図）を示す。
【図１０】召し合わせ部上面図（召合框止水ブロック下観図）を示す。
【図１１】召し合わせ部正面図（召合框止水ブロック外観図）を示す。
【図１２】召合框止水ブロックを下枠フラット面排水口に取付けた場合を示す。
【図１３】図１２の側面図を示す。
【図１４】図１２の上面図を示す。
【図１５】図１２の正面図を示す。
【図１６】内障子下枠凹部止水ブロックを取り付けた状態の側面図を示す。
【図１７】内障子下枠凹部止水ブロックを取り付けた状態の上面図を示す。
【図１８】下枠凹部止水ブロックの傾斜図を示す。
【図１９】図１８の側面図を示す。
【図２０】図１８の上面図を示す。
【図２１】図１８の正面図を示す。
【図２２】排水口の配置図を示す。
【図２３】障子の脱着方法を示す。
【図２４】本発明に係る下枠断面の他の例を示す。
【図２５】本発明に係る下枠断面の他の例を示す。
【図２６】本発明に係る下枠断面の他の例を示す。
【図２７】タイト材を下枠側に配設した場合の縦断面図を示す。
【図２８】タイト材を縦枠側に配設した場合の横断面図を示す。
【図２９】タイト材を枠側に配設した場合の部分斜視図を示す
【図３０】下枠ベース中空部を一体的に設けた場合を示す。
【図３１】図２９に対応した横断面図を示す。
【図３２】本発明による高水密装置を内蔵した屋外用バリアフリーサッシの施工イメージ図を示す。
【図３３】従来のサッシによるマンションのベランダ側と室内側を見た施工イメージ図を示す。
【図３４】間取り図の例を示す。
【図３５】屋外開口部縦断面図を示す。
【図３６】屋外開口部下枠付近の縦断面図を示す。
【符号の説明】
１０  下枠
１１  フラット面（上面）
１１ａ  外障子スライド溝          １１ｂ  内障子スライド溝
１２ａ  外障子用下枠凹部          １２ｂ  内障子用下枠凹部
１３ａ  外障子用横タイト材嵌合溝  １３ｂ  内障子用横タイト材嵌合溝
１４ａ  外障子用横タイト材        １４ｂ  内障子用横タイト材
１５    フラット面排水口
１６ａ  左コーナー部排水口        １６ｂ  右コーナー部排水口
１７ａ  外障子用下枠凹部排水口    １７ｂ  内障子用下枠凹部排水口
１８    下枠屋外排水口
１９    逆水止め部材
１００  下枠ベース部材
１０１、１０２、１０３、１０４、１０５  下枠ベース部材からの立ち上がり片
１０６  障子スライド用上面部材
２０    左縦枠                      ３０  右縦枠
２１    左縦枠係合部                  ３１  右縦枠係合部
２２    左縦枠縦タイト材嵌合溝      ３２  右縦枠縦タイト材嵌合溝
２３    左縦枠縦タイト材            ３３  右縦枠縦タイト材
４０    上枠
５０    外障子                      ６０  内障子
５１    外障子下框                  ６１  内障子下框
５１ａ  外障子スライド片            ６１ａ内障子スライド片
５２    外障子戸当框                ６２  内障子戸当框
５３    外障子召合框                ６３  内障子召合框
５３ａ  外障子突き合わせ片          ６３ａ内障子突き合わせ片
５４    外障子戸車                  ６４  内障子戸車
５５    外障子上框                  ６５  内障子上框
５６    外障子下框タイト材          ６６  内障子下框タイト材
６７  召合框タイト材
７０    召合框止水ブロック
７１    ウオーターバリア
７２    ウインドバリア
７３    召合框止水ブロック係止部材
８０    下枠凹部止水ブロック
【図１】
0003617511.tif 000002
【図２】
0003617511.tif 000003
【図３】
0003617511.tif 000004
【図４】
0003617511.tif 000005
【図５】
0003617511.tif 000006
【図６】
0003617511.tif 000007
【図７】
0003617511.tif 000008
【図８】
0003617511.tif 000009
【図９】
0003617511.tif 000010
【図１０】
0003617511.tif 000011
【図１１】
0003617511.tif 000012
【図１２】
0003617511.tif 000013
【図１３】
0003617511.tif 000014
【図１４】
0003617511.tif 000015
【図１５】
0003617511.tif 000016
【図１６】
0003617511.tif 000017
【図１７】
0003617511.tif 000018
【図１８】
0003617511.tif 000019
【図１９】
0003617511.tif 000020
【図２０】
0003617511.tif 000021
【図２１】
0003617511.tif 000022
【図２２】
0003617511.tif 000023
【図２３】
0003617511.tif 000024
【図２４】
0003617511.tif 000025
【図２５】
0003617511.tif 000026
【図２６】
0003617511.tif 000027
【図２７】
0003617511.tif 000028
【図２８】
0003617511.tif 000029
【図２９】
0003617511.tif 000030
【図３０】
0003617511.tif 000031
【図３１】
0003617511.tif 000032
【図３２】
0003617511.tif 000033
【図３３】
0003617511.tif 000034
【図３４】
0003617511.tif 000035
【図３５】
0003617511.tif 000036
【図３６】
0003617511.tif 000037